(57)【要約】  本発明に係る移動通信システムは、基地局装置および移動局装置から構成される、所定の総帯域幅が複数のダウンリンクキャリア周波数成分の集合より成る移動通信システムであって、前記基地局装置および前記移動局装置は、前記ダウンリンクキャリア周波数成分のそれぞれに対応するダウンリンクの物理層を、前記ダウンリンクキャリア周波数成分毎に処理し、前記複数のダウンリンクキャリア周波数成分の集合は、先頭の数シンボルに制御情報を含むサブフレーム構造の前記ダウンリンクキャリア周波数成分と、先頭の数シンボルに制御情報を含まないサブフレーム構造の前記ダウンリンクキャリア周波数成分と、を有する。
2010032850.tif 000002
【特許請求の範囲】
【請求項１】
基地局装置および移動局装置から構成される、所定の総帯域幅が複数のダウンリンクキャリア周波数成分の集合より成る移動通信システムであって、
前記基地局装置および前記移動局装置は、前記ダウンリンクキャリア周波数成分のそれぞれに対応するダウンリンクの物理層を、前記ダウンリンクキャリア周波数成分毎に処理し、
前記複数のダウンリンクキャリア周波数成分の集合は、先頭の数シンボルに制御情報を含むサブフレーム構造の前記ダウンリンクキャリア周波数成分と、先頭の数シンボルに制御情報を含まないサブフレーム構造の前記ダウンリンクキャリア周波数成分と、を有することを特徴とする移動通信システム。
【請求項２】
前記移動局装置は、前記制御情報を含むサブフレーム構造の前記ダウンリンクキャリア周波数成分から前記制御情報を受信することを特徴とする請求項１に記載の移動通信システム。
【請求項３】
前記移動局装置は、前記制御情報を受信した前記ダウンリンクキャリア周波数成分とは異なる前記ダウンリンクキャリア周波数成分からユニキャストサービスのデータを受信することを特徴とする請求項２に記載の移動通信システム。
【請求項４】
基地局装置および移動局装置から構成される、所定の総帯域幅が複数のダウンリンクキャリア周波数成分の集合より成る移動通信システムであって、
前記基地局装置と前記移動局装置は、それぞれの前記ダウンリンクキャリア周波数成分に対応するダウンリンクの物理層を、それぞれの前記ダウンリンクキャリア周波数成分毎に処理し、
前記ダウンリンクキャリア周波数成分には、前記ダウンリンクキャリア周波数成分に対応するアップリンクキャリア周波数のリソースを割り当てる上りリンクグラントと、前記ダウンリンクキャリア周波数成分に対応しないアップリンクキャリア周波数のリソースを割り当てる上りリンクグラントと、が配置されることを特徴とする移動通信システム。
【請求項５】
基地局装置および移動局装置から構成される、所定の総帯域幅が複数のダウンリンクキャリア周波数成分の集合より成る移動通信システムであって、
前記基地局装置および前記移動局装置は、前記ダウンリンクキャリア周波数成分のそれぞれに対応するダウンリンクの物理層を、前記ダウンリンクキャリア周波数成分毎に処理し、
ユニキャストサービスおよびマルチメディアブロードキャスト・マルチキャストサービスを、それぞれ、異なる前記ダウンリンクキャリア周波数成分によって周波数分割多重伝送することを特徴とする移動通信システム。
【請求項６】
前記基地局装置および前記移動局装置は、前記ダウンリンクキャリア周波数成分のそれぞれに対応するダウンリンクの物理層を処理するサブシステムのうちの第１部を、ユニキャストサービスの伝送のために用い、残りの第２部をマルチメディアブロードキャスト・マルチキャストサービスの伝送のために用いることを特徴とする請求項５に記載の移動通信システム。
【請求項７】
前記基地局装置および前記移動局装置は、ユニキャストサービスの伝送のために用いる前記第１部のサブシステムとして、ユニキャストのサブフレーム構造を採用し、
マルチメディアブロードキャスト・マルチキャストサービスの伝送のために用いる前記第２部のサブシステムとして、マルチキャスト単一周波数ネットワーク（ＭＢＳＦＮ）のサブフレーム構造を採用することを特徴とする請求項６に記載の移動通信システム。
【請求項８】
前記基地局装置および前記移動局装置は、マルチメディアブロードキャスト・マルチキャストサービスの伝送のために用いる前記第２部のサブシステムとして、
サブフレーム内の全ての直交周波数分割多重シンボルに拡張サイクリックプレフィックスを用い、
先頭から１つ又は２つの直交周波数分割多重シンボルに、セル固有の参照信号参照信号を挿入し、
他の直交周波数分割多重シンボルに、マルチキャスト単一周波数ネットワーク固有の参照信号を挿入し、
サブフレームにおける参照信号以外の全てのリソース・エレメントをマルチメディアブロードキャスト・マルチキャストサービスの伝送のために用い、
前記セル固有の参照信号およびマルチキャスト単一周波数ネットワーク固有の参照信号の挿入マッピングモードと、マルチキャスト単一周波数ネットワークのサブフレーム構造に対する挿入マッピングモードとが同一である、進化型のマルチキャスト単一周波数ネットワークのサブフレーム構造を採用することを特徴とする請求項６または７に記載の移動通信システム。
【請求項９】
前記基地局装置および前記移動局装置は、前記ダウンリンクキャリア周波数成分の少なくとも一部にて制御情報を伝送し、その他の前記ダウンリンクキャリア周波数成分において前記制御情報の伝送のために用いるリソース・エレメントを、ユニキャストサービス又はマルチメディアブロードキャスト・マルチキャストサービスのために用いることを特徴とする請求項５から８のいずれか１項に記載の移動通信システム。
【請求項１０】
基地局装置および移動局装置から構成される、所定の総帯域幅が複数のダウンリンクキャリア周波数成分の集合より成る移動通信システムであって、
前記基地局装置は、前記ダウンリンクキャリア周波数成分のそれぞれに対応するダウンリンクの物理層における送信処理を、前記ダウンリンクキャリア周波数成分毎に行ない、
前記移動局装置は、前記ダウンリンクキャリア周波数成分のそれぞれに対応するダウンリンクの物理層における受信処理を、前記ダウンリンクキャリア周波数成分毎に行ない、
前記複数のダウンリンクキャリア周波数成分の集合は、先頭の１または複数のシンボルに下りリンクデータを送信するための制御情報を含む第１サブフレームを用いて前記下りリンクデータを伝送する前記ダウンリンクキャリア周波数成分と、先頭の１または複数のシンボルに前記制御情報を含まない第２サブフレームを用いて前記下りリンクデータを伝送する前記ダウンリンクキャリア周波数成分と、を含んでおり、
前記基地局装置は、前記制御情報を伝送する場合は、前記第１サブフレームにて前記下りリンクデータを前記移動局装置に伝送するとともに、前記制御情報を伝送しない場合は、前記第２サブフレームにて前記下りリンクデータを前記移動局装置に伝送することを特徴とする移動通信システム。
【請求項１１】
基地局装置および移動局装置から構成される、所定の総帯域幅が複数のダウンリンクキャリア周波数成分の集合より成る移動通信システムであって、
前記基地局装置は、前記ダウンリンクキャリア周波数成分のそれぞれに対応するダウンリンクの物理層における送信処理を、前記ダウンリンクキャリア周波数成分毎に行ない、
前記移動局装置は、前記ダウンリンクキャリア周波数成分のそれぞれに対応するダウンリンクの物理層における受信処理を、前記ダウンリンクキャリア周波数成分毎に行ない、
前記基地局装置は、前記ダウンリンクキャリア周波数成分に、当該ダウンリンクキャリア周波数成分に対応するアップリンクキャリア周波数のリソースを割り当てる上りリンクグラントと、当該ダウンリンクキャリア周波数成分に対応しないアップリンクキャリア周波数のリソースを割り当てる上りリンクグラントと、を含めることを特徴とする移動通信システム。
【請求項１２】
基地局装置および移動局装置から構成される、所定の総帯域幅が複数のダウンリンクキャリア周波数成分の集合より成る移動通信システムであって、
前記基地局装置は、前記ダウンリンクキャリア周波数成分のそれぞれに対応するダウンリンクの物理層における送信処理を、前記ダウンリンクキャリア周波数成分毎に行ない、
前記移動局装置は、前記ダウンリンクキャリア周波数成分のそれぞれに対応するダウンリンクの物理層における受信処理を、前記ダウンリンクキャリア周波数成分毎に行ない、
前記基地局装置は、ユニキャストサービスのデータとマルチメディアブロードキャスト・マルチキャストサービスのデータとを、それぞれ異なる前記ダウンリンクキャリア周波数成分に多重して、前記移動局装置に伝送することを特徴とする移動通信システム。
【発明の詳細な説明】
【技術分野】
【０００１】
本発明は、移動通信の技術分野に関し、特に、ＬＴＥ（ロング・ターム・エボリューション；Long-Term Evolution）−Ａｄｖａｎｃｅｄシステムのダウンリンクの物理層を処理する方法（以下、「物理層処理方法」と略記する）およびマルチキャスト単一周波数ネットワーク（ＭＢＳＦＮ：MBMS Single Frequency Network；以下、「ＭＢＳＦＮ」と略記する）のサブフレーム構造に関し、より詳しくは、ユニキャストサービスとマルチメディアブロードキャスト・マルチキャストサービス（ＭＢＭＳ：Multimedia Broadcast and Multicast Service；以下、「ＭＢＭＳ」と略記する）との多重化システムおよび多重化方法、ユニキャストサービスとＭＢＭＳとの多重化送信方法、並びにユニキャストサービスとＭＢＭＳとの多重化受信方法に関する。
【背景技術】
【０００２】
直交周波数分割多重技術（ＯＦＤＭ：Orthogonal Frequency Division Multiplexing;以下、「ＯＦＤＭ」と略記する）の応用において、最も主要な課題は、マルチパスの時間遅延の拡張を有効に抑制することである。サブキャリアを変調するための各データシンボルの周期が元の周期のＮ倍になるように、入力されるデータストリームを直並列変換し、Ｎ個の並列のサブチャネルに入れる。これにより、時間遅延の拡張とシンボルの周期との比率は、Ｎ倍低減される。符号間干渉を最大限に削減するために、各ＯＦＤＭシンボルの間にガード・インターバル（ＧＩ：Guard Interval）を付加するが、通常、ガード・インターバルの長さＴｇは無線チャネルの時間遅延の最大の拡張より大きいので、あるシンボルのマルチパス成分は、次のシンボルに干渉を与えない。ここで、ガード・インターバルには、信号を挿入しなくてもよい。つまり、伝送の空き期間とすることができる。しかしながら、この場合、マルチパス伝播の影響のため、キャリア間干渉（ＩＣＩ：Inter-cell Interference；以下、「ＩＣＩ」と略記する）が発生する。つまり、サブキャリア間の直交性が崩れ、異なるサブキャリア間で干渉が発生する。マルチパスによるＩＣＩを削除するために、ＯＦＤＭシンボルは、ガード・インターバルにサイクリック・プレフィックス（ＣＰ：Cyclic Prefix；以下、「ＣＰ」と略記する）信号を挿入する必要がある。これにより、ＦＦＴ（Fast Fourier Transform）の周期において、ＯＦＤＭシンボルの時間遅延のコピーに含まれる波形の周期数が整数となる。したがって、時間遅延がガード・インターバルの長さＴｇより短い遅延信号に対しては、復調中にＩＣＩが発生しない。【０００３】
移動通信システムのセルの半径は差異があり、マイクロセル、マクロセルなどがある。マクロセルは、セルの半径が非常に大きく、セル境界に位置するユーザが受信するとき、シンボルによる大きな干渉を受けないようにするためには、長いＣＰを用いる必要がある。ＬＴＥシステムにＯＦＤＭを採用するとき、ＣＰの長さを、ノーマル・サイクリック・プレフィックス（Normal Cyclic Prefix；以下、「ノーマルＣＰ」と略記する）および拡張・サイクリック・プレフィックス（Extended Cyclic Prefix；以下、「拡張ＣＰ」と略記する）のいずれかから選択することが、現在、３ＧＰＰにて規定されている。すなわち、ノーマルＣＰは、半径が小さいマイクロセルに適用され、信号品質が確保できる上、リソース利用率を向上させる。一方、拡張ＣＰは、主に半径が大きいマクロセルに適用され、また、ＭＢＭＳ伝送時、マルチセルのマクロダイバーシチを実現するためにも用いられる。ＬＴＥシステムのＦＤＤ（周波数分割複信）モードで下りデータを伝送するとき、ノーマルＣＰを採用する場合と比べて、拡張ＣＰを採用する場合は、１つの時間スロットにて伝送されるシンボルのデータが１つ少なくなり、リソースの利用率がノーマルＣＰを用いる場合より低くなる。このため、拡張ＣＰを用いたデータ伝送は、帯域幅のリソースを損なう代価として、広範囲のカバレッジを確保する。【０００４】
ＬＴＥシステムで規定されるＭＢＳＦＮのサブフレームのフォーマットを図１５に示す。同図に示すように、ＬＴＥのＭＢＳＦＮのサブフレームにおいて、先頭から１つ又は２つのシンボル（ｎ＝１又はｎ＝２）は、ユニキャスト情報を伝送するためのシンボルであり、セル固有の参照信号、アップリンクのリソース配分情報、およびアップリンクのＡＣＫ／ＮＡＫ情報を含んでいる。セル固有の参照信号は、ユニキャストサービスを利用するユーザのチャネル推定を増強するために用いられる。ＭＢＳＦＮのサブフレームのユニキャストシンボル部とマルチキャストシンボル部とでは、ＣＰの長さが異なるため、小領域の空白のサンプル（Spare Samples）が残るが、３ＧＰＰ標準規格には、この時間スロットで伝送する内容に関する規定はない。ＭＢＳＦＮのサブフレームの先頭から１つ又は２つのシンボルに採用されるＣＰの長さは、システムの第０番目のサブフレームに採用されるＣＰの長さにより決められ、ＭＢＳＦＮのサブフレームのその他のシンボルについては、拡張ＣＰを採用してＭＢＭＳ伝送を行なう。３ＧＰＰ ＲＡＮ１ ５１ｂｉｓ会議において、多くの会社は、一斉に、ユニキャストシンボル部の長さを基準パラメータとしてＭＢＳＦＮ領域に基づいて信号の伝送を行なうことで、ＭＢＳＦＮスループットの損失を防止することを考えた。ＰＣＦＩＣＨ（物理制御フォーマットインジケータチャネル；Physical Control Format Indicator Channel）は、ダウンリンクの各サブフレームにおいて伝送されるべきであり、ＭＢＳＦＮのサブフレームを含むと共に、サブフレーム（ＭＢＳＦＮのサブフレームを含む）におけるユニキャスト制御信号を含むシンボルの長さを正確に指定することができるべきである。ＭＢＳＦＮのサブフレームに対して、ＰＣＦＩＣＨにより指定されるユニキャスト制御信号を含むシンボルの長さは、上位レイヤシグナリングにより指定される該当パラメータと一致しなければならない。ＭＢＳＦＮ伝送に用いられるＭＢＳＦＮのサブフレームおよびユニキャストのサブフレームは、時分割多重（ＴＤＭ）方式によって周波数スペクトルのリソースを共用する。チャネルの推定および測定の目的から言うと、全てのユーザ装置（以下、「ＵＥ」と略記する）は、上位レイヤシグナリング（ブロードキャスト制御チャネルＢＣＣＨ）を介して、どのサブフレームがＭＢＳＦＮのサブフレームであるかが分かる。【０００５】
図１は、現在のＬＴＥシステムの、物理層における処理工程を示す図である。物理チャネルで伝送されるコード・ワードのエンコードビットをスクランブルし、スクランブル後のビットストリームを変調してから複素値変調シンボルを生成し、変調された複素値変調シンボルを１又は複数の伝送層にマッピングし、各層の複素値変調シンボルに対してプリエンコード処理を行ない、各アンテナの複素値変調シンボルをリソース・エレメント（ＲＥ:Resource Elements；以下、「ＲＥ」と略記する）にマッピングし、各アンテナのために複素時間領域のＯＦＤＭシンボルを生成する。ＯＦＤＭシンボル生成モジュールには、ＩＦＦＴ（逆高速フーリエ変換；Inverse Fast Fourier transform）処理、ＣＰ挿入処理、およびＤ／Ａ変換処理が含まれる。各アンテナにおけるＣＰ挿入処理において、挿入されるＣＰの長さは一致している。【０００６】
ＬＴＥ−Ａｄｖａｎｃｅｄシステムでは、帯域幅に対する需要がさらに増えても、システムの周波数スペクトルは１００ＭＨｚまで拡大することができる（非特許文献１）。このような大きな周波数スペクトルは、連続する帯域幅により構成するか、又は、複数の非連続の小さい帯域幅により構成することができる。また、ＬＴＥ−Ａｄｖａｎｃｅｄシステムの物理層における処理工程は、複数の並列したものとすることもできる。ＬＴＥ−Ａｄｖａｎｃｅｄシステムは、対称のアップリンク帯域幅およびダウンリンク帯域幅、更には、非対称のアップリンクおよびダウンリンクの帯域幅をサポートすることができる（非特許文献２）。例えば、２つの２０ＭＨｚの非対称の帯域幅によりシステムの４０ＭＨｚのダウンリンク帯域幅が構成される場合、システムのアップリンク帯域幅は、１つの２０ＭＨｚの帯域幅と、１つの１０ＭＨｚの帯域幅との集合により構成することが可能である。ここで、ＬＴＥ−ＡｄｖａｎｃｅｄシステムとＬＴＥ Ｒｅｌｅａｓｅ８のＵＥとには、上位互換性があるべきであるという基本的な要求がある。
【先行技術文献】
【非特許文献】
【０００７】
【非特許文献１】R1-081809, On the consideration of technical candidates for LTE-advanced, LGE, 3GPP TSG RAN WG1 Meeting #53, May 5-9, 2008
【非特許文献２】R1-083232, Carrier aggregation for LTE-A: E-NodeB Issues, Motorola, 3GPP TSG RAN WG1 Meeting #54, Aug 18-22, 2008
【発明の概要】
【０００８】
現在の需要の分析によると、ＬＴＥ−Ａｄｖａｎｃｅｄシステムにおいて、ダウンリンクの帯域幅は１００ＭＨｚになる可能性があり、例えば、ユニキャストサービスとＭＢＭＳとが１つのＭＢＳＦＮのサブフレームにおいて周波数分割方式にて共存する場合、ユニキャストサービスも拡張ＣＰを採用してデータ伝送を行なうべきであるが、この場合、リソースの大きな無駄が生じる。これに対し、ユニキャストサービスとＭＢＭＳとを、１つのＬＴＥ−Ａｄｖａｎｃｅｄのサブフレームに有効に多重化させることができれば、システムのリソース利用率を向上できる。この点に鑑みて、本発明は該当する解決方案を提供する。
【発明が解決しようとする課題】
【０００９】
本発明で解決しようとする課題は、ＬＴＥ−Ａｄｖａｎｃｅｄシステムにおいて、ユニキャストサービスとＭＢＭＳとを多重化する周波数帯域を実現し、有効なデータ伝送を行なう移動通信システムを提供することである。つまり、本発明は、ＬＴＥ−Ａｄｖａｎｃｅｄシステムにおいて、ＭＢＭＳをスケジューリングして伝送する１つのサブフレームに、１種類のサブフレームフォーマットのみを用いることにより無駄なリソースが発生するという問題を、有効に解決することを目的とする。【００１０】
上述したメリットおよび／又はその他のメリットを実現し、本願明細書の複数の箇所で記載した本発明の目的を達成するために、本発明は、ＬＴＥ−Ａｄｖａｎｃｅｄシステムにおいて、ユニキャストサービスとＭＢＭＳとの多重化システムの周波数領域で有効なデータ伝送を行なうことができる移動通信システムを提供する。
【課題を解決するための手段】
【００１１】
上記課題を解決するために、本発明に係る移動通信システムは、基地局装置および移動局装置から構成される、所定の総帯域幅が複数のダウンリンクキャリア周波数成分の集合より成る移動通信システムであって、前記基地局装置および前記移動局装置は、前記ダウンリンクキャリア周波数成分のそれぞれに対応するダウンリンクの物理層を、前記ダウンリンクキャリア周波数成分毎に処理し、前記複数のダウンリンクキャリア周波数成分の集合は、先頭の数シンボルに制御情報を含むサブフレーム構造の前記ダウンリンクキャリア周波数成分と、先頭の数シンボルに制御情報を含まないサブフレーム構造の前記ダウンリンクキャリア周波数成分と、を有することを特徴としている。【００１２】
また、上記課題を解決するために、本発明に係る移動通信システムは、基地局装置および移動局装置から構成される、所定の総帯域幅が複数のダウンリンクキャリア周波数成分の集合より成る移動通信システムであって、前記基地局装置と前記移動局装置は、それぞれの前記ダウンリンクキャリア周波数成分に対応するダウンリンクの物理層を、それぞれの前記ダウンリンクキャリア周波数成分毎に処理し、前記ダウンリンクキャリア周波数成分には、前記ダウンリンクキャリア周波数成分に対応するアップリンクキャリア周波数のリソースを割り当てる上りリンクグラントと、前記ダウンリンクキャリア周波数成分に対応しないアップリンクキャリア周波数のリソースを割り当てる上りリンクグラントと、が配置されることを特徴としている。【００１３】
また、上記課題を解決するために、本発明に係る移動通信システムは、基地局装置および移動局装置から構成される、所定の総帯域幅が複数のダウンリンクキャリア周波数成分の集合より成る移動通信システムであって、前記基地局装置および前記移動局装置は、前記ダウンリンクキャリア周波数成分のそれぞれに対応するダウンリンクの物理層を、前記ダウンリンクキャリア周波数成分毎に処理し、ユニキャストサービスおよびマルチメディアブロードキャスト・マルチキャストサービスを、それぞれ、異なる前記ダウンリンクキャリア周波数成分によって周波数分割多重伝送することを特徴としている。【００１４】
また、本発明に係る移動通信システムは、基地局装置および移動局装置から構成される、所定の総帯域幅が複数のダウンリンクキャリア周波数成分の集合より成る移動通信システムであって、前記基地局装置は、前記ダウンリンクキャリア周波数成分のそれぞれに対応するダウンリンクの物理層における送信処理を、前記ダウンリンクキャリア周波数成分毎に行ない、前記移動局装置は、前記ダウンリンクキャリア周波数成分のそれぞれに対応するダウンリンクの物理層における受信処理を、前記ダウンリンクキャリア周波数成分毎に行ない、前記複数のダウンリンクキャリア周波数成分の集合は、先頭の１または複数のシンボルに下りリンクデータを送信するための制御情報を含む第１サブフレームを用いて前記下りリンクデータを伝送する前記ダウンリンクキャリア周波数成分と、先頭の１または複数のシンボルに前記制御情報を含まない第２サブフレームを用いて前記下りリンクデータを伝送する前記ダウンリンクキャリア周波数成分と、を含んでおり、前記基地局装置は、前記制御情報を伝送する場合は、前記第１サブフレームにて前記下りリンクデータを前記移動局装置に伝送するとともに、前記制御情報を伝送しない場合は、前記第２サブフレームにて前記下りリンクデータを前記移動局装置に伝送することを特徴としている。【００１５】
また、本発明に係る移動通信システムは、基地局装置および移動局装置から構成される、所定の総帯域幅が複数のダウンリンクキャリア周波数成分の集合より成る移動通信システムであって、前記基地局装置は、前記ダウンリンクキャリア周波数成分のそれぞれに対応するダウンリンクの物理層における送信処理を、前記ダウンリンクキャリア周波数成分毎に行ない、前記移動局装置は、前記ダウンリンクキャリア周波数成分のそれぞれに対応するダウンリンクの物理層における受信処理を、前記ダウンリンクキャリア周波数成分毎に行ない、前記基地局装置は、前記ダウンリンクキャリア周波数成分に、当該ダウンリンクキャリア周波数成分に対応するアップリンクキャリア周波数のリソースを割り当てる上りリンクグラントと、当該ダウンリンクキャリア周波数成分に対応しないアップリンクキャリア周波数のリソースを割り当てる上りリンクグラントと、を含めることを特徴としている。【００１６】
また、本発明に係る移動通信システムは、基地局装置および移動局装置から構成される、所定の総帯域幅が複数のダウンリンクキャリア周波数成分の集合より成る移動通信システムであって、前記基地局装置は、前記ダウンリンクキャリア周波数成分のそれぞれに対応するダウンリンクの物理層における送信処理を、前記ダウンリンクキャリア周波数成分毎に行ない、前記移動局装置は、前記ダウンリンクキャリア周波数成分のそれぞれに対応するダウンリンクの物理層における受信処理を、前記ダウンリンクキャリア周波数成分毎に行ない、前記基地局装置は、ユニキャストサービスのデータとマルチメディアブロードキャスト・マルチキャストサービスのデータとを、それぞれ異なる前記ダウンリンクキャリア周波数成分に多重して、前記移動局装置に伝送することを特徴としている。
【図面の簡単な説明】
【００１７】
【図１】ＬＴＥで規定されるダウンリンクの物理層処理方法を示す概略図である。
【図２】ＬＴＥ−Ａｄｖａｎｃｅｄシステムの基地局である送信機の物理層処理方法を示す概略図である。
【図３】ＬＴＥ−ＡｄｖａｎｃｅｄシステムのＵＥである受信機の物理層処理方法を示す概略図である。
【図４】ＬＴＥ−ＡｄｖａｎｃｅｄシステムにおけるユニキャストサービスとＭＢＭＳとの多重構造を示す概略図である。
【図５】ＬＴＥ−Ａｄｖａｎｃｅｄシステムにおいて、複数のＭＢＳＦＮのサービスが１つのＬＴＥ−Ａｄｖａｎｃｅｄサブフレームに多重化される例を示す概略図である。
【図６】ＬＴＥ−Ａｄｖａｎｃｅｄシステムにおいて、ＭＢＭＳとユニキャストサービスとが１つのＬＴＥ−Ａｄｖａｎｃｅｄサブフレームに多重化される場合の状態図である。
【図７】ＬＴＥ−Ａｄｖａｎｃｅｄシステムにおいて、非対称のアップリンクおよびダウンリンクの帯域幅により生成される問題点を示す概略図である。
【図８】ＬＴＥ−Ａｄｖａｎｃｅｄシステムにおけるｅ−ＭＢＳＦＮのサブフレームの構造を示す概略図である。
【図９】ｅ−ＭＢＳＦＮのサブフレーム構造を採用して、非対称のアップリンクおよびダウンリンクの帯域幅による問題点を解決する例を示す概略図である。
【図１０】ｅ−Ｕｎｉｃａｓｔサービス用のサブフレーム構造を採用して、非対称のアップリンクおよびダウンリンクの帯域幅による問題点を解決する例を示す概略図である。
【図１１】ｅ−ＭＢＳＦＮのサブフレーム構造を採用して、非対称のアップリンクおよびダウンリンクの帯域幅による問題点を解決する他の例を示す概略図である。
【図１２】ＬＴＥ−Ａｄｖａｎｃｅｄシステムのサブフレームの構造を示す概略図である。
【図１３】ＬＴＥ−Ａｄｖａｎｃｅｄシステムの送信機の処理を説明するためのフローチャートである。
【図１４】ＬＴＥ−Ａｄｖａｎｃｅｄシステムの受信機の処理を説明するためのフローチャートである。
【図１５】ＬＴＥで規定されるＭＢＳＦＮのサブフレームの構造を示す概略図である。
【発明を実施するための形態】
【００１８】
以下、図面に基づいて、本発明の好ましい実施の形態について詳細に説明する。本発明をより理解しやすく説明するために、本発明に対して不必要な構成および機能は省略する。
【００１９】
本発明を実現するための形態をより詳細かつ明確に説明するために、ＬＴＥ−Ａｄｖａｎｃｅｄセルラ移動通信システム等に適用する具体的な実施例について説明する。もちろん、本発明は、ここで記載する応用に限らず、その他の移動通信システムにも適用可能である。
【００２０】
図１に、ＬＴＥシステムで規定されたダウンリンクの物理層処理方法を示す。同図に示すように、物理層処理方法として、チャネルエンコード後のコード・ワードに対してスクラルブル処理を行なうスクラルブルユニット１００、スクラルブル処理後のコード・ワードビットに対してシンボル変調を行なう変調ユニット１０１、変調後のシンボルを１層又は多層にマッピングする層マッピングユニット１０２、各層にマッピングされたシンボルに対して、事前にエンコード処理を行なうプリエンコードユニット１０３、プリエンコードされた複素値変調シンボルを各アンテナのリソースブロックにマッピングするリソースマッピングユニット１０４、各アンテナにおいて各サブキャリア上のシンボルに対してＩＦＦＴ（逆高速フーリエ変換；Inverse Fast Fourier transform）を行なうことによって生成される時間領域のシンボルのためにＣＰを挿入し、Ｄ／Ａ変換を行なうＯＦＤＭシンボル生成ユニット１０５が含まれる。なお、アナログ信号はアップコンバートし、アンテナを介して送信する。また、上記物理層処理方法は、ＬＴＥで規定された全てのシステム帯域幅（１．４ＭＨｚ、３ＭＨｚ、５ＭＨｚ、１０ＭＨｚ、１５ＭＨｚ、および２０ＭＨｚ）で正常に動作できる。
【００２１】
３ＧＰＰでのＬＴＥ−Ａｄｖａｎｃｅｄシステムの需要に関する現在の議論によれば、ＬＴＥ−Ａｄｖａｎｃｅｄシステムのダウンリンクの帯域幅は１００ＭＨｚが必要であり、システムは非対称のアップリンクおよびダウンリンクの帯域幅での正常動作をサポートする必要がある。また、今後のデータサービスの非対称性によれば、ＬＴＥ−Ａｄｖａｎｃｅｄシステムのアップリンクの帯域幅がダウンリンクの帯域幅より小さくなる可能性があることが予測できる。また、ＬＴＥ−Ａｄｖａｎｃｅｄシステムのダウンリンクの帯域幅は、下記に示す２種類の構成方式とすることができる。
【００２２】
１つ目の種類は、連続して配分されている１００ＭＨｚの周波数スペクトルのリソースを、ＬＴＥ−Ａｄｖａｎｃｅｄシステムのダウンリンク伝送に用いる方式である。この方式では、ＬＴＥシステムの物理層処理方法を再利用することができ、ＯＦＤＭシンボル生成モジュールにて、ある大きいポイント数のＩＦＦＴによって、周波数領域から時間領域への変換を実現する。例えば、ＬＴＥにて、帯域幅が２０ＭＨｚである場合に２０４８個のポイント数のＩＦＦＴが必要であるとすると、ＬＴＥ−Ａｄｖａｎｃｅｄでは、帯域幅が１００ＭＨｚである場合に８１９２個のポイント数のＩＦＦＴが必要となる可能性がある。また、この方式では、帯域幅が１００ＭＨｚになることをサポートすることができる線形電力増幅器が必要となる。
【００２３】
しかしながら、国際電気通信連合（ＩＴＵ）は、２００７年に開催された世界無線会議（ＷＲＣ０７）において、ＬＴＥ−Ａｄｖａｎｃｅｄシステムに使用可能な無線周波数スペクトルの区分を提案している。この提案によると、Ｃ−ｂａｎｄ（３４００〜４２００ＭＨｚ）のみに限って、連続する大きな周波数スペクトルのリソースを得ることができる。言い換えれば、その他の利用可能な周波数スペクトルのリソースについて、１００ＭＨｚの連続するシステム帯域幅を得ることは、困難となる。
【００２４】
このため、実現可能性が高い方式と考えられる２つ目の種類は、非連続に配分されている１００ＭＨｚの周波数スペクトルのリソースを、ＬＴＥ−Ａｄｖａｎｃｅｄシステムのダウンリンク伝送に用いる方式である。すなわち、複数の周波数領域における非連続の小さなサブ帯域幅の集合により、システムに必要な１００ＭＨｚの帯域幅を構成する方式である。この方式では、各々のサブフレームに対して物理層処理機構を１つずつ設け、各サブ帯域幅においてＩＦＦＴを行なうことが必要である。なお、当該ＩＦＦＴのポイント数とＬＴＥシステムのポイント数とは一致する。同様に、各々のサブ帯域幅に１つの線形電力増幅器を配置する。この線形電力増幅器がサポート可能な最大帯域幅は、ＬＴＥで規定された２０ＭＨｚである。
【００２５】
現在、ＬＴＥ−Ａｄｖａｎｃｅｄシステムに上記方式のいずれを採用するかについては、明確に規定されていないが、両方式を同時に有効にサポート可能な物理構成が必要であるという提案が多く提出されている。この提案に鑑みて、下記のように、本実施形態において、図２および図３に示すＬＴＥ−Ａｄｖａｎｃｅｄシステムのダウンリンクの物理層処理方法を提供する。
【００２６】
利用可能なＬＴＥ−Ａｄｖａｎｃｅｄの周波数スペクトルリソースを取得することにより、ＬＴＥ−Ａｄｖａｎｃｅｄシステムの帯域幅を、複数の基礎帯域に区分する。ここで、利用可能なＬＴＥ−Ａｄｖａｎｃｅｄの周波数スペクトルリソースは、連続していてもよいし、非連続であってもよい。
【００２７】
図２に、ＬＴＥ−Ａｄｖａｎｃｅｄシステムにおける送信機（以下、ｅＮＢ、ｅＮｏｄｅＢ、基地局装置とも表記する）の物理層処理方法を示す。ＬＴＥ−Ａｄｖａｎｃｅｄシステムの物理層処理方法は、並列処理を行なう複数の等価的なＬＴＥの物理層処理方法（図２において、破線で囲まれた部分（スクランブルユニット２０１〜Ｄ／Ａ変換ユニット２０９を含む部分）は、等価的なＬＴＥの物理層処理方法の１つを示している）の組合せにより構成されており、等価的なＬＴＥの物理層処理方法は、それぞれ、１つの基礎帯域に対応している。また、等価的なＬＴＥの物理層処理方法のそれぞれのパラメータは、対応する基礎帯域のプロパティおよび対応するスケジューリング情報により決められる。例えば、ＩＦＦＴのポイント数は基礎帯域の大きさによって決められ、アップコンバートされたキャリア周波数は当該基礎帯域に対応するキャリア周波数成分となり、時間領域のシンボルのために挿入されるＣＰの長さは、基礎帯域に現在スケジュールされているサブフレーム構造により決められる。
【００２８】
図２に示すように、送信機の物理層処理方法の各構成において、スケジューリングユニット２００は、ユーザの優先度およびキャッシュ状況によって、ユーザが使用している基礎帯域、時間周波数リソースブロック、およびスケジューリング・サブフレームに採用される構成に対してスケジューリング配分を行なう。スクランブルユニット２０１は、チャネルエンコード後のコード・ワードに対してスクラルブル処理を行なう。変調ユニット２０２は、スクラルブル処理後のコード・ワードビットに対してシンボル変調を行なう。層マッピングユニット２０３は、変調後のシンボルを１層又は多層にマッピングする。プリエンコードユニット２０４は、各層にマッピングされたシンボルに対して、事前にエンコード処理を行なう。リソースマッピングユニット２０５は、プリエンコードされた複素値変調シンボルを各アンテナのリソースブロックにマッピングする。ＩＦＦＴユニット２０６は、各アンテナにおいて、各サブキャリア上のシンボルに対してＩＦＦＴを行なう。ＣＰ挿入ユニット２０７は、生成される時間領域のシンボルのためにＣＰを挿入する。ＣＰ長情報取得ユニット２０８は、スケジューリングユニット２００のスケジューリング結果によって、挿入される現在サブフレームのＣＰの長さ情報を取得する。Ｄ／Ａ変換ユニット２０９は、デジタル信号からアナログ信号への変換を行なう。このように、上記構成の処理を通して得られたアナログ信号は、最後にアップコンバートして、アンテナを介して送信される。
【００２９】
図３に、ＬＴＥ−ＡｄｖａｎｃｅｄシステムにおけるＵＥ（User Equipment）（以下、受信機、移動局装置とも表記する）の物理層処理方法を示す。ＵＥの能力によって、ＵＥが１又は複数の基礎帯域のデータを受信できるかを確認することができる。ＵＥの物理層処理方法は、１又は複数の等価的なＬＴＥの物理層処理方法の集合により構成されている（図３において、破線で囲まれた部分（フィルタユニット３０１〜アンスクランブルユニット３１０を含む部分）は、等価的なＬＴＥの物理層処理方法の１つを示している）。等価的なＬＴＥの物理層処理方法は、それぞれ、１つの基礎帯域と対応している。等価的なＬＴＥの物理層処理方法のそれぞれの物理パラメータは、対応する基礎帯域のプロパティおよび対応するスケジューリング情報により決められる。例えば、ＩＦＦＴのポイント数は基礎帯域の大きさによって決められ、アップコンバートされたキャリア周波数は当該基礎帯域に対応するキャリア周波数成分となり、時間領域のシンボルのために除去されるＣＰの長さは、基礎帯域に現在スケジュールされているサブフレーム構造により決められる。
【００３０】
図３に示すように、送信機の物理層処理方法の各構成において、フィルタユニット３０１は、アンテナが受信したアナログ信号をダウンコンバートして基礎帯域の信号とする。Ａ／Ｄ変換ユニット３０２は、アナログ信号からデジタル信号への変換を行なう。ＣＰ長情報取得ユニット３０４は、受信した上位レイヤのシグナリング信号によって、現在のサブフレームのＣＰの長さを判断する。ＣＰ除去ユニット３０３は、ＣＰ長情報取得ユニット３０４から取得したＣＰの長さによって、時間領域シンボル中のＣＰを除去する。ＦＦＴユニット３０５は、各アンテナにおいて受信した信号に対してＦＦＴを行なう。リソースマッピング解除ユニット３０６は、現在の基礎帯域の対応するサブフレーム構造のリソースブロックから複素値変調シンボルを読み出す。プリエンコード解除ユニット３０７は、リソースマッピング解除ユニット３０６から取得した複素値変調シンボルに対してプリエンコードの解除処理を行なう。層マッピング解除ユニット３０８は、多層にマッピングされたシンボルを結合する。復調ユニット３０９は、シンボルに対して復調処理を行なう。アンスクランブルユニット３１０は、復調後のコード・ワードに対してスクランブルの解除処理を行なう。データ組合せユニット３１１は、各アンテナにおいて、受信したデータを結合し、対応する処理を行なうように、ＭＡＣ層に伝送する。
【００３１】
上述したＬＴＥ−Ａｄｖａｎｃｅｄシステムの物理層構造によれば、ユニキャストサービスおよびＭＢＭＳを、システム周波数帯域の各基礎帯域にて柔軟に多重して伝送することができる。例えば、図４に示すように、システム帯域幅が３つの基礎帯域（サブ周波数帯域１、サブ周波数帯域２、サブ周波数帯域３）により構成されている場合、ユニキャストサービスのサブフレームは、ノーマルＣＰを用いてデータ伝送を行なう。
【００３２】
スケジューリングされたサブフレームｍの中で、例えば、ＭＣＨ １〜ＭＣＨ ３（ＭＣＨ Ｘは、ＭＢＳＦＮ ＸのＭＢＭＳ伝送チャネルである）がそれぞれサブ周波数帯域１〜３の物理リソースにマッピングされるように、異なるＭＢＳＦＮのＭＢＭＳデータを、周波数分割多重方式により、異なる基礎帯域にマッピングすることができる。この多重方式をより詳しく説明するために、図５に、スケジューリングされたフレームｍの詳細な構成を示す。同図において、Ｒ０〜Ｒ３は、それぞれ、アンテナ０〜アンテナ３で伝送される、セル固有の参照信号を表し、ＭＢＳＦＮ ＲＳは、ＭＢＳＦＮ領域固有の参照信号を表す。サブフレームｍにおける３つの基礎帯域のサブフレーム構造と、ＬＴＥで規定されるＭＢＳＦＮのサブフレーム構造とは、全く一致している。
【００３３】
なお、スケジューリングされたサブフレームｎの中で、ユニキャストサービス・データおよびＭＢＭＳデータは、周波数分割多重方式により、異なる基礎帯域にマッピングすることができる。この多重方式をより詳しく説明するために、図６に、スケジューリングされたサブフレームｎの詳細な構成を示す。サブフレームｎにおいて、ＭＢＭＳデータを伝送する基礎帯域（サブ周波数帯域１およびサブ周波数帯域３）のサブフレームの構造と、ＬＴＥで規定されるＭＢＳＦＮのサブフレームの構造とは全く一致しており、ユニキャストサービス・データを伝送する基礎帯域（サブ周波数帯域２）のサブフレームの構造は、ＬＴＥで規定されるノーマルＣＰのサブフレームの構造を採用している。
【００３４】
ＬＴＥ−Ａｄｖａｎｃｅｄシステムに対して、アップリンクおよびダウンリンクが非対称である場合についてもサポートする必要があるという要求が提出されている。例えば、システムのダウンリンクの帯域幅が３つの２０ＭＨｚの基礎帯域により構成され、アップリンクの帯域幅が２つの２０ＭＨｚの基礎帯域により構成されていると仮定する。ＬＴＥにおけるＭＢＳＦＮのサブフレームに対する規定では、当該サブフレームの先頭から１つ又は２つのシンボルは、セルユニキャスト方式により伝送され、伝送内容には、アップリンクのリソース配分情報（UL grant、上りリンクグラント）、アップリンクのＡＣＫ／ＮＡＫ情報、および相応するセル固有の（cell-specific）参照信号が含まれる。
【００３５】
アップリンクの基礎帯域とダウンリンクの基礎帯域との１対１の対応づけが容易な方式によって制御情報（例えば、図９および１０に示したＰＤＣＣＨ：Physical Downlink Control Channel、物理下りリンク制御チャネル）を伝送することは、１つのダウンリンクの基礎帯域に対応するアップリンクの基礎帯域において、相応する制御情報を伝送することである。図７に示すように、ダウンリンクのサブ周波数帯域２における先頭から幾つかのシンボルに、アップリンクのサブ周波数帯域Ａおけるアップリンクのリソース配分情報、および対応するアップリンクのサブ周波数帯域ＡにおけるＡＣＫ／ＮＡＫ情報を伝送し、ダウンリンクのサブ周波数帯域３における先頭から幾つかのシンボルに、アップリンクのサブ周波数帯域Ｂにおけるアップリンクのリソース配分情報、および対応するアップリンクのサブ周波数帯域ＢにおけるＡＣＫ／ＮＡＫ情報を伝送する。具体的には、上記アップリンク情報を伝送するためのシンボルは、各基礎帯域における先頭から１つ又は２つのシンボルである。先頭から１つ又は２つのシンボルのうち、具体的にどのシンボルであるかは、システムのスケジューリングによって確定される。
【００３６】
ＬＴＥの規定によると、ＬＴＥで規定されたユニキャストのサブフレーム又はＬＴＥで規定されたＭＢＳＦＮのサブフレームにかかわらず、相応する制御情報を伝送するために、１つ以上のシンボルを保留する。このため、ダウンリンクのサブ周波数帯域１においても、制御情報の伝送のために、相応するシンボルを保留する必要がある。このとき、当該サブ周波数帯域と対応するアップリンクがないので、いずれの制御情報も不要となる。このため、ある程度のリソースの無駄が生じる。
【００３７】
以上の問題点に鑑みて、本発明は、ＬＴＥ−Ａｄｖａｎｃｅｄシステムにて用いる、ＬＴＥから進化したＭＢＳＦＮ（以降、ｅ−ＭＢＳＦＮと称する）のサブフレーム構造を提供する。図８に、当該サブフレーム構造の詳細を示す。同図に示すように、ｅ−ＭＢＳＦＮのサブフレーム構造は、拡張ＣＰを採用し、すなわち、サブフレームの長さは１２個のＯＦＤＭシンボルの長さであって、ＬＴＥのＭＢＳＦＮのサブフレームと一致している。セル固有の（Cell-specific）参照信号は、先頭から１つ又は２つのシンボルに相応するＲＥで伝送される。同図において、Ｒ０〜Ｒ３は、それぞれアンテナ０〜アンテナ３で伝送される、セル固有の参照信号を表す。具体的に、１つのシンボルを採用するか、又は、２つのシンボルを採用するかについては、基地局の送信アンテナの本数によって決めることができる。例えば、基地局のアンテナが４本であれば、２つのシンボルを採用し、基地局のアンテナが２本又は１本であれば、１つのシンボルを採用する。セル固有の参照信号の、先頭から１つ又は２つのシンボル上でのマッピング方法は、ＬＴＥの拡張ＣＰを用いたユニキャストのサブフレーム構造で規定された先頭から１つ又は２つのシンボルの参照信号のマッピング方法と一致している。サブフレームにおける第３、第７、第１１のシンボルには、ＭＢＳＦＮ領域固有の（ＭＢＳＦＮ area specific）参照信号を挿入しており、当該参照信号のサブフレームにおけるマッピング方法は、ＬＴＥで規定されたＭＢＳＦＮのサブフレーム構造の相応するシンボルにおけるＭＢＳＦＮ領域固有の参照信号のマッピング方法と一致している。ＭＢＳＦＮ領域固有の参照信号を除いた他のＲＥの全ては、ＭＢＭＳ伝送に用いられる。
【００３８】
また、以上の問題点に鑑みて、本発明は、ＬＴＥ−Ａｄｖａｎｃｅｄシステムにて用いる、ＬＴＥから進化したユニキャスト（以降、ｅ−Ｕｎｉｃａｓｔと称する）のサブフレーム構造を提供する。当該サブフレーム構造は、ＬＴＥで規定されたサブフレーム構造と全く一致するが、当該サブフレームは制御情報を伝送しない。すなわち、当該サブフレームの先頭から幾つかのシンボルを保留せず、サブフレームにおける参照信号以外の全てのＲＥをデータ情報の送受信に用いる。
【００３９】
図９は、上記ｅ−ＭＢＳＦＮのサブフレーム構造の応用実例を説明するための図である。同図に示すように、スケジューリングされたサブフレームのサブ周波数帯域２およびサブ周波数帯域３では、ＬＴＥで規定されたＭＢＳＦＮのサブフレーム構造を採用してデータ伝送を行ない、サブ周波数帯域２におけるサブフレームの先頭から２つのシンボルはサブ周波数帯域Ａに関する制御情報（ＰＤＣＣＨ：Physical Downlink Control Channel、物理下りリンク制御チャネル）を含み、サブ周波数帯域３におけるサブフレームの先頭から２つのシンボルはサブ周波数帯域Ｂに関する制御情報を含んでいる。スケジューリングされたサブフレームのサブ周波数帯域１では、ｅ−ＭＢＳＦＮのサブフレーム構造を採用してデータ伝送を行ない、サブ周波数帯域１におけるサブフレームではいずれの制御情報も伝送されない。この実例からみると、ｅ−ＭＢＳＦＮのサブフレーム構造を採用することによって、当該構造を採用しない場合と比べ、リソースの無駄が発生する問題を有効に解決することができる。
【００４０】
また、図１０は、ｅ−Ｕｎｉｃａｓｔのサブフレーム構造の応用実例を説明するための図である。同図に示すように、スケジューリングされたサブフレームのサブ周波数帯域２およびサブ周波数帯域３では、ＬＴＥで規定されたユニキャストのサブフレーム構造を採用してデータ伝送を行ない、サブ周波数帯域２におけるサブフレームの先頭から２つのシンボルはサブ周波数帯域Ａに関する制御情報を含み、サブ周波数帯域３におけるサブフレームの先頭から２つのシンボルはサブ周波数帯域Ｂに関する制御情報を含んでいる。スケジューリングされたサブフレームのサブ周波数帯域１では、ｅ−Ｕｎｉｃａｓｔのサブフレーム構造を採用してデータ伝送を行ない、サブ周波数帯域１におけるサブフレームではいずれの制御情報も伝送されない。この実例からみると、ｅ−Ｕｎｉｃａｓｔのサブフレーム構造を採用することによって、当該構造を採用しない場合と比べ、リソースの無駄が発生する問題を有効に解決することができる。
【００４１】
ＬＴＥのユニキャストのサブフレームにおける制御情報と比べると、ＭＢＳＦＮのサブフレームにおける制御情報のシンボルは、アップリンクのＵＬ ｇｒａｎｔ（上りリンクグラント）情報のみを含み、ダウンリンクに関する配分情報を含まないので、状況によっては、ＬＴＥのＭＢＳＦＮのサブフレームにおける制御情報のシンボルのリソースに無駄が生じる可能性がある。したがって、本発明では、１つのＬＴＥ−Ａｄｖａｎｃｅｄのスケジューリングされたサブフレームにおける複数のＬＴＥのＭＢＳＦＮのサブフレーム構造における制御情報を、１つのＬＴＥのＭＢＳＦＮのサブフレーム構造における制御情報に組合せて伝送することを提案する。図１１に示すように、ダウンリンクのサブ周波数帯域３はＬＴＥのＭＢＳＦＮのサブフレーム構造を採用しており、その制御情報のシンボルは、アップリンクのサブ周波数帯域Ａおよびサブ周波数帯域Ｂの、ＵＬ ｇｒａｎｔ情報およびＡＣＫ／ＮＡＫ情報を含んでいる。ダウンリンクのサブ周波数帯域１およびサブ周波数帯域２は、ｅ−ＭＢＳＦＮのサブフレーム構造を採用してデータ伝送することができる。また、図１２は、サブフレームの構成をより明瞭に示す図である。同図に示すように、この構成によると、サブ周波数帯域１およびサブ周波数帯域２において無駄になっていた制御情報のシンボルを、ＭＢＭＳの伝送に十分利用することが可能となる。
【００４２】
上述した構成に基づいて、ＬＴＥ−ＡｄｖａｎｃｅｄのＵＥが、相応するデータ情報を正確に受信しようとする場合、予め、相応するサブフレーム構造、並びに、アップリンクおよびダウンリンクの基礎帯域間のマッピングに関する情報を知らなければならない。図１３は、ＬＴＥ−Ａｄｖａｎｃｅｄシステムにおける送信機の処理を示すフローチャートであり、以下では、図１３に基づいて、具体的に、基地局装置の処理の流れを説明する。基地局装置の処理の流れは下記の通りである。
【００４３】
ステップＳ１４０１：ｅＮＢは、伝送する制御情報のダウンリンクの基礎帯域を確定し、Ｍ２インタフェースを介して、所属のＭＣＥに上記制御情報とダウンリンクの基礎帯域とのマッピング情報を送信する。
【００４４】
ステップＳ１４０２：ＭＣＥは、ＭＢＭＳのスケジューリングを行ない、ＭＢＳＦＮのサブフレームの配分情報を決定する。当該配分情報には、どのサブフレームのどの基礎帯域にＬＴＥのＭＢＳＦＮのサブフレーム構造を採用するか、および、どのサブフレームのどの基礎帯域にｅ−ＭＢＳＦＮのサブフレーム構造を採用するかが含まれている。
【００４５】
ステップＳ１４０３：ｅＮＢは、ユニキャストサービスのスケジューリングを行なう。
【００４６】
ステップＳ１４０４：ｅＮＢは、上位レイヤのシグナリング信号を通じて、ＵＥに、制御情報とダウンリンクの基礎帯域とのマッピング情報、およびＭＢＳＦＮのサブフレームの配分情報を送信する。
【００４７】
ステップＳ１４０５：ｅＮＢは、ダウンリンクの基礎帯域において制御情報が伝送されるか否かを判断する。
【００４８】
ステップＳ１４０６：ｅＮＢは、ダウンリンクの基礎帯域において制御情報が伝送される場合、現在のダウンリンクの基礎帯域において現在スケジュールされているサブフレームが、ＭＢＳＦＮのサブフレームであるか否かを判断する。
【００４９】
ステップＳ１４０７：ｅＮＢは、現在のダウンリンクの基礎帯域において現在スケジュールされているサブフレームが、ＭＢＳＦＮのサブフレームである場合、ＬＴＥで規定されたＭＢＳＦＮのサブフレーム構造を採用して、当該サブフレームの先頭から幾つかのシンボルでユニキャストサービスのダウンリンクの制御情報を伝送し、その他のシンボルでマルチキャストサービスの情報を伝送する。
【００５０】
ステップＳ１４０８：ｅＮＢは、現在のダウンリンクの基礎帯域において現在スケジュールされているサブフレームが、ＭＢＳＦＮのサブフレームではない場合、ＬＴＥで規定されたユニキャストのサブフレーム構造を採用し、当該サブフレームの先頭から幾つかのシンボルでユニキャストサービスのダウンリンクの制御情報を伝送し、その他のシンボルでユニキャストサービスの情報を伝送する。
【００５１】
ステップＳ１４０９：ｅＮＢは、ダウンリンクの基礎帯域において制御情報が伝送されない場合、現在のダウンリンクの基礎帯域において現在スケジュールされているサブフレームが、ＭＢＳＦＮのサブフレームであるか否かを判断する。
【００５２】
ステップＳ１４１０：ｅＮＢは、現在のダウンリンクの基礎帯域において現在スケジュールされているサブフレームが、ＭＢＳＦＮのサブフレームである場合、ｅ−ＭＢＳＦＮのサブフレーム構造を採用し、当該サブフレームの全てのシンボルでマルチキャストサービス情報を伝送し、当該サブフレームの先頭から幾つかのシンボルの相応する位置でユニキャストサービスの参照信号を伝送する。
【００５３】
ステップＳ１４１１：ｅＮＢは、現在のダウンリンクの基礎帯域において現在スケジュールされているサブフレームが、ＭＢＳＦＮのサブフレームではない場合、ｅ−Ｕｎｉｃａｓｔのサブフレーム構造を採用し、当該サブフレームの全てのシンボルでユニキャストサービス情報を伝送する。
【００５４】
具体的に、図１４は、ＬＴＥ−Ａｄｖａｎｃｅｄシステムの受信機の処理を示すフローチャートであり、同図に示すように、ＵＥの処理の流れは下記の通りである。
【００５５】
ステップＳ１５０１：ＵＥは、上位レイヤのシグナリング信号の情報を受信して、制御情報とダウンリンクの基礎帯域とのマッピング情報、および各基礎帯域のＭＢＳＦＮのサブフレームの配分情報を取得する。
【００５６】
ステップＳ１５０２：ＵＥは、ダウンリンクの基礎帯域において制御情報が伝送されるか否かを判断する。
【００５７】
ステップＳ１５０３：ＵＥは、ダウンリンクの基礎帯域において制御情報が伝送される場合、現在のダウンリンクの基礎帯域において現在スケジュールされているサブフレームが、ＭＢＳＦＮのサブフレームであるか否かを判断する。
【００５８】
ステップＳ１５０４：ＵＥは、現在のダウンリンクの基礎帯域において現在スケジュールされているサブフレームが、ＭＢＳＦＮのサブフレームである場合、ＬＴＥで規定されたＭＢＳＦＮのサブフレーム構造を採用してデータの受信を行ない、サブフレームの先頭から幾つかのシンボルを検出して、相応するユニキャストサービスの制御情報を受信する。
【００５９】
ステップＳ１５０５：ＵＥは、当該サブフレームが当該ユーザのＭＢＭＳを含むか否かを判断する。
【００６０】
ステップＳ１５０６：ＵＥは、当該サブフレームが当該ユーザのＭＢＭＳを含む場合、その他のシンボルで伝送されるマルチキャストサービス情報を受信する。
【００６１】
ステップＳ１５０７：ＵＥは、当該サブフレームが当該ユーザのＭＢＭＳを含まない場合、当該ユーザはいずれの操作も行なわない。
【００６２】
ステップＳ１５０８：ＵＥは、現在のダウンリンクの基礎帯域において現在スケジュールされているサブフレームが、ＭＢＳＦＮのサブフレームではない場合、ＬＴＥで規定されたユニキャストのサブフレーム構造を採用して受信を行ない、サブフレームの先頭から幾つかのシンボルを検出して、相応するユニキャストサービスの制御情報を受信する。
【００６３】
ステップＳ１５０９：ＵＥは、受信したユニキャストサービスの制御情報によって、その他のシンボルで伝送されるユニキャストサービス情報を受信する。
【００６４】
ステップＳ１５１０：ＵＥは、ダウンリンクの基礎帯域において制御情報が伝送されない場合、現在のダウンリンクの基礎帯域において現在スケジュールされているサブフレームが、ＭＢＳＦＮのサブフレームであるか否かを判断する。
【００６５】
ステップＳ１５１１：ＵＥは、現在のダウンリンクの基礎帯域において現在スケジュールされているサブフレームが、ＭＢＳＦＮのサブフレームである場合、ｅ−ＭＢＳＦＮのサブフレーム構造を採用して受信を行ない、先頭から幾つかのシンボルにおけるユニキャスト参照信号によってチャネル推定を行なう。
【００６６】
ステップＳ１５１２：ＵＥは、当該サブフレームが当該ユーザのＭＢＭＳを含むか否かを判断する。
【００６７】
ステップＳ１５１３：ＵＥは、当該サブフレームが当該ユーザのＭＢＭＳを含む場合、当該サブフレームで伝送されるマルチキャストサービス情報を受信する。
【００６８】
ステップＳ１５１４：ＵＥは、当該サブフレームが当該ユーザのＭＢＭＳを含まない場合、当該ユーザはいずれの操作も行なわない。
【００６９】
ステップＳ１５１５：ＵＥは、現在のダウンリンクの基礎帯域において現在スケジュールされているサブフレームが、ＭＢＳＦＮのサブフレームではない場合、ユーザはその他の基礎帯域から取得した制御情報によって、ｅ−Ｕｎｉｃａｓｔのサブフレーム構造を採用して、相応するユニキャストサービス情報を受信する。
【００７０】
上述したＬＴＥ−Ａｄｖａｎｃｅｄのダウンリンクの物理層処理方法、ｅ−ＭＢＳＦＮのサブフレーム構造、ｅ−Ｕｎｉｃａｓｔのサブフレーム構造、および相応する信号によって、システムは、各基礎帯域において、ＭＢＭＳとユニキャストとが柔軟に多重利用でき、有限の無線リソースが十分に利用できて、システムリソースの利用率を高める。さらに、このような構造は、設計が簡易であるとともに、システム設計の複雑さが低いので、実際に、システムおよびＵＥの需要を満足することができる。
【００７１】
以上のように、本発明に係る移動通信システムは、基地局装置および移動局装置から構成される、所定の総帯域幅が複数のダウンリンクキャリア周波数成分の集合より成る移動通信システムであって、前記基地局装置および前記移動局装置は、前記ダウンリンクキャリア周波数成分のそれぞれに対応するダウンリンクの物理層を、前記ダウンリンクキャリア周波数成分毎に処理し、前記複数のダウンリンクキャリア周波数成分の集合は、先頭の数シンボルに制御情報を含むサブフレーム構造の前記ダウンリンクキャリア周波数成分と、先頭の数シンボルに制御情報を含まないサブフレーム構造の前記ダウンリンクキャリア周波数成分と、を有することを特徴としている。
【００７２】
また、本発明に係る移動通信システムは、前記移動局装置は、前記制御情報を含むサブフレーム構造の前記ダウンリンクキャリア周波数成分から前記制御情報を受信する構成であってもよい。
【００７３】
また、本発明に係る移動通信システムは、前記移動局装置は、前記制御情報を受信した前記ダウンリンクキャリア周波数成分とは異なる前記ダウンリンクキャリア周波数成分からユニキャストサービスのデータを受信する構成であってもよい。
【００７４】
また、本発明に係る移動通信システムは、基地局装置および移動局装置から構成される、所定の総帯域幅が複数のダウンリンクキャリア周波数成分の集合より成る移動通信システムであって、前記基地局装置と前記移動局装置は、それぞれの前記ダウンリンクキャリア周波数成分に対応するダウンリンクの物理層を、それぞれの前記ダウンリンクキャリア周波数成分毎に処理し、前記ダウンリンクキャリア周波数成分には、前記ダウンリンクキャリア周波数成分に対応するアップリンクキャリア周波数のリソースを割り当てる上りリンクグラントと、前記ダウンリンクキャリア周波数成分に対応しないアップリンクキャリア周波数のリソースを割り当てる上りリンクグラントと、が配置されることを特徴としている。
【００７５】
また、本発明に係る移動通信システムは、基地局装置および移動局装置から構成される、所定の総帯域幅が複数のダウンリンクキャリア周波数成分の集合より成る移動通信システムであって、前記基地局装置および前記移動局装置は、前記ダウンリンクキャリア周波数成分のそれぞれに対応するダウンリンクの物理層を、前記ダウンリンクキャリア周波数成分毎に処理し、ユニキャストサービスおよびマルチメディアブロードキャスト・マルチキャストサービスを、それぞれ、異なる前記ダウンリンクキャリア周波数成分によって周波数分割多重伝送することを特徴としている。
【００７６】
また、本発明に係る移動通信システムは、前記基地局装置および前記移動局装置は、前記ダウンリンクキャリア周波数成分のそれぞれに対応するダウンリンクの物理層を処理するサブシステムのうちの第１部を、ユニキャストサービスの伝送のために用い、残りの第２部をマルチメディアブロードキャスト・マルチキャストサービスの伝送のために用いる構成であってもよい。
【００７７】
また、本発明に係る移動通信システムは、前記基地局装置および前記移動局装置は、ユニキャストサービスの伝送のために用いる前記第１部のサブシステムとして、ユニキャストのサブフレーム構造を採用し、マルチメディアブロードキャスト・マルチキャストサービスの伝送のために用いる前記第２部のサブシステムとして、マルチキャスト単一周波数ネットワーク（ＭＢＳＦＮ）のサブフレーム構造を採用する構成であってもよい。
【００７８】
また、本発明に係る移動通信システムは、前記基地局装置および前記移動局装置は、マルチメディアブロードキャスト・マルチキャストサービスの伝送のために用いる前記第２部のサブシステムとして、サブフレーム内の全ての直交周波数分割多重シンボルに拡張サイクリックプレフィックスを用い、先頭から１つ又は２つの直交周波数分割多重シンボルに、セル固有の参照信号参照信号を挿入し、他の直交周波数分割多重シンボルに、マルチキャスト単一周波数ネットワーク固有の参照信号を挿入し、サブフレームにおける参照信号以外の全てのリソース・エレメントをマルチメディアブロードキャスト・マルチキャストサービスの伝送のために用い、前記セル固有の参照信号およびマルチキャスト単一周波数ネットワーク固有の参照信号の挿入マッピングモードと、マルチキャスト単一周波数ネットワークのサブフレーム構造に対する挿入マッピングモードとが同一である、進化型のマルチキャスト単一周波数ネットワークのサブフレーム構造を採用する構成であってもよい。
【００７９】
また、本発明に係る移動通信システムは、前記基地局装置および前記移動局装置は、前記ダウンリンクキャリア周波数成分の少なくとも一部にて制御情報を伝送し、その他の前記ダウンリンクキャリア周波数成分において前記制御情報の伝送のために用いるリソース・エレメントを、ユニキャストサービス又はマルチメディアブロードキャスト・マルチキャストサービスのために用いる構成であってもよい。
【００８０】
また、本発明に係る移動通信システムは、基地局装置および移動局装置から構成される、所定の総帯域幅が複数のダウンリンクキャリア周波数成分の集合より成る移動通信システムであって、前記基地局装置は、前記ダウンリンクキャリア周波数成分のそれぞれに対応するダウンリンクの物理層における送信処理を、前記ダウンリンクキャリア周波数成分毎に行ない、前記移動局装置は、前記ダウンリンクキャリア周波数成分のそれぞれに対応するダウンリンクの物理層における受信処理を、前記ダウンリンクキャリア周波数成分毎に行ない、前記複数のダウンリンクキャリア周波数成分の集合は、先頭の１または複数のシンボルに下りリンクデータを送信するための制御情報を含む第１サブフレームを用いて前記下りリンクデータを伝送する前記ダウンリンクキャリア周波数成分と、先頭の１または複数のシンボルに前記制御情報を含まない第２サブフレームを用いて前記下りリンクデータを伝送する前記ダウンリンクキャリア周波数成分と、を含んでおり、前記基地局装置は、前記制御情報を伝送する場合は、前記第１サブフレームにて前記下りリンクデータを前記移動局装置に伝送するとともに、前記制御情報を伝送しない場合は、前記第２サブフレームにて前記下りリンクデータを前記移動局装置に伝送することを特徴としている。
【００８１】
また、本発明に係る移動通信システムは、基地局装置および移動局装置から構成される、所定の総帯域幅が複数のダウンリンクキャリア周波数成分の集合より成る移動通信システムであって、前記基地局装置は、前記ダウンリンクキャリア周波数成分のそれぞれに対応するダウンリンクの物理層における送信処理を、前記ダウンリンクキャリア周波数成分毎に行ない、前記移動局装置は、前記ダウンリンクキャリア周波数成分のそれぞれに対応するダウンリンクの物理層における受信処理を、前記ダウンリンクキャリア周波数成分毎に行ない、前記基地局装置は、前記ダウンリンクキャリア周波数成分に、当該ダウンリンクキャリア周波数成分に対応するアップリンクキャリア周波数のリソースを割り当てる上りリンクグラントと、当該ダウンリンクキャリア周波数成分に対応しないアップリンクキャリア周波数のリソースを割り当てる上りリンクグラントと、を含めることを特徴としている。
【００８２】
また、本発明に係る移動通信システムは、基地局装置および移動局装置から構成される、所定の総帯域幅が複数のダウンリンクキャリア周波数成分の集合より成る移動通信システムであって、前記基地局装置は、前記ダウンリンクキャリア周波数成分のそれぞれに対応するダウンリンクの物理層における送信処理を、前記ダウンリンクキャリア周波数成分毎に行ない、前記移動局装置は、前記ダウンリンクキャリア周波数成分のそれぞれに対応するダウンリンクの物理層における受信処理を、前記ダウンリンクキャリア周波数成分毎に行ない、前記基地局装置は、ユニキャストサービスのデータとマルチメディアブロードキャスト・マルチキャストサービスのデータとを、それぞれ異なる前記ダウンリンクキャリア周波数成分に多重して、前記移動局装置に伝送することを特徴としている。
【００８３】
以上のように、本発明は、ＬＴＥ−Ａｄｖａｎｃｅｄシステムのダウンリンクの物理層処理方法を提供し、ＬＴＥ−Ａｄｖａｎｃｅｄシステムの帯域幅は１つ以上のキャリア周波数成分（Component carrier）のサブ帯域幅の集合により成っており、ＬＴＥ−Ａｄｖａｎｃｅｄシステムのダウンリンクの物理層処理方法は１つ以上のＬＴＥシステムのダウンリンクの物理層処理方法により構成され、ＬＴＥシステムのダウンリンクの物理層処理方法のそれぞれは、１つのＬＴＥ−Ａｄｖａｎｃｅｄのキャリア周波数成分に対応するサービスを提供する。
【００８４】
好ましくは、ＬＴＥシステムのダウンリンクの物理層処理方法のそれぞれのＩＦＦＴのポイント数は、対応する上記キャリア周波数成分におけるサブ帯域幅の大きさによって決められる。
【００８５】
また、好ましくは、ＬＴＥシステムのダウンリンクの物理層処理方法のそれぞれのＣＰの長さは、対応する帯域幅のサブフレーム構造により決められる。
【００８６】
また、好ましくは、上記サブフレームの構造は、ＬＴＥシステムで規定され、かつ、ユニキャストサービスのデータ伝送に用いられるサブフレーム構造である。
【００８７】
また、好ましくは、上記サブフレームの構造は、ＬＴＥシステムで規定され、かつ、ＭＢＭＳのデータ伝送に用いられるＭＢＳＦＮのサブフレーム構造である。
【００８８】
また、好ましくは、上記サブフレームの構造は、ｅ−ＭＢＳＦＮのサブフレーム構造であり、全てのシンボルは、長さが拡張されたＣＰを採用し、ＯＦＤＭシンボル数とＬＴＥのＭＢＳＦＮのサブフレームにおけるＯＦＤＭシンボル数とは一致し、ＬＴＥの拡張ＣＰを用いたユニキャストのサブフレーム構造で規定された先頭から１つ又は２つのシンボルの参照信号と同じマッピング方法を用いて、セル固有の参照信号を、先頭から１つ又は２つのシンボルにおける対応するＲＥにマッピングし、ＬＴＥの拡張ＣＰを用いたＭＢＳＦＮのサブフレーム構造で規定されたＭＢＳＦＮ領域固有の参照信号と同じマッピング方法を用いて、ｅ−ＭＢＳＦＮ領域固有の参照信号を、ｅ−ＭＢＳＦＮのサブフレームに挿入し、上記ｅ−ＭＢＳＦＮのサブフレームにおけるｅ−ＭＢＳＦＮ領域固有の参照信号を除いた他のＲＥの全ては、ｅ−ＭＢＭＳ伝送に用いられる。
【００８９】
また、好ましくは、上記サブフレームの構造は、ｅ−Ｕｎｉｃａｓｔのサブフレーム構造であり、当該ｅ−Ｕｎｉｃａｓｔのサブフレーム構造と、ＬＴＥで規定されるサブフレームの構造とは完全に一致し、ｅ−Ｕｎｉｃａｓｔのサブフレームの先頭部分における所定数のシンボルは、伝送される制御情報を保留しない。
【００９０】
また、好ましくは、ＵＥは、上位レイヤのシグナリング信号を通じて、制御情報とダウンリンクの基礎帯域とのマッピング情報を取得する。具体的なステップは下記のとおりである。すなわち、基地局は、制御情報とダウンリンクの基礎帯域とのマッピング情報を確定し、ブロードキャストチャネルを通じて、制御情報とダウンリンクの基礎帯域との上記マッピング情報を報知する。そして、基地局は、Ｍ２インタフェースを通じて、所属のＭＣＥ（Multi-cell/Multicast Coordination Entity）に、制御情報とダウンリンクの基礎帯域との上記マッピング情報を送信する。そして、ＭＣＥは、ＭＢＭＳのスケジューリングを行ない、ＭＢＳＦＮのサブフレームの配分情報を決め、Ｍ２インタフェースを通じて基地局装置（ｅＮＢまたはｅＮｏｄｅＢ）に上記ＭＢＳＦＮのサブフレームの配分情報を送信する。そして、基地局は、ブロードキャストチャネルを介して、全てのＵＥにＭＢＳＦＮのサブフレームの配分情報を報知する。
【００９１】
また、好ましくは、上記ＭＢＳＦＮのサブフレームの配分情報は、ＬＴＥのＭＢＳＦＮのサブフレーム構造を採用するサブフレームおよびサブ帯域幅、並びに、ｅ−ＭＢＳＦＮのサブフレーム構造を採用するサブフレームおよびサブ帯域幅を含んでいる。
【００９２】
また、好ましくは、上記ＭＢＳＦＮのサブフレームの配分情報は、ＭＢＭＳ用のサブフレームおよびサブ帯域幅の伝送を指示するために用いられる。
【００９３】
また、好ましくは、ＬＴＥで規定されるＭＢＳＦＮのサブフレーム構造を採用してＭＢＭＳデータを伝送するサブフレームの制御情報の伝送用シンボルは、アップリンクに対する１又は複数のサブ帯域幅のリソース配分情報およびＡＣＫ／ＮＡＫ情報を含んでいる。
【００９４】
本発明の第１方案として、ユニキャストサービスとＭＢＭＳとの多重化システムを提供し、当該多重化システムは、所定の総帯域幅が１又は複数のキャリア周波数成分における基礎帯域の集合により成っており、１又は複数の、ＬＴＥシステムのダウンリンクの物理層を処理するサブシステムを備え、ＬＴＥシステムのダウンリンクの物理層を処理する上記サブシステムのそれぞれは、１つのキャリア周波数成分に対応するサービスを提供し、ユニキャストサービスおよびＭＢＭＳを、それぞれ、異なるＬＴＥシステムのダウンリンクの物理層を処理するサブシステムによって周波数分割多重伝送することを特徴とする。
【００９５】
本発明の第２方案として、ユニキャストサービスおよびＭＢＭＳの多重化方法を提供し、そのうち、所定のシステム総帯域幅が１又は複数のキャリア周波数成分における基礎帯域の集合により成っており、上記多重化方法は、各々が１つのキャリア周波数成分に対応してサービスするように、１又は複数の、ＬＴＥシステムのダウンリンクの物理層を処理するサブシステムを採用し、異なるＬＴＥシステムのダウンリンクの物理層を処理する上記サブシステムによって、ユニキャストサービスおよびＭＢＭＳを多重伝送することを特徴とする。
【００９６】
好ましくは、１又は複数のＬＴＥシステムのダウンリンクの物理層を処理するサブシステムのうち、第１部をユニキャストサービスの伝送のために用い、残りの第２部をＭＢＭＳの伝送のために用いる。更に好ましくは、上記ユニキャストサービスの伝送のために用いる第１部のサブシステムは、ＬＴＥシステムで規定されたユニキャストのサブフレームの構造を採用し、上記ＭＢＭＳの伝送のために用いる第２部のサブシステムは、ＬＴＥシステムで規定されたＭＢＳＦＮのサブフレーム構造を採用する。
【００９７】
また、上記ユニキャストサービスの伝送のために用いる第１部のサブシステムはｅ−Ｕｎｉｃａｓｔのサブフレーム構造を採用し、当該ｅ−Ｕｎｉｃａｓｔのサブフレーム構造は、下記のとおりである。すなわち、サブフレームの構造がＬＴＥシステムで規定されるサブフレームと同一であり、制御情報の伝送のためのＲＥを保留することなく、ＲＥの全てをユニキャストサービスの伝送のために用いる。
【００９８】
また、上記ＭＢＭＳの伝送のために用いる第２部のサブシステムはｅ−ＭＢＳＦＮのサブフレーム構造を採用し、当該ｅ−ＭＢＳＦＮのサブフレーム構造は、下記のとおりである。すなわち、フレーム内の全ての直交周波数分割多重シンボルに拡張ＣＰを用い、先頭から１つ又は２つの直交周波数分割多重シンボルにセル固有の参照信号を挿入し、他の直交周波数分割多重シンボルにＭＢＳＦＮ固有の参照信号を挿入し、サブフレームにおいて参照信号以外の全てのＲＥをＭＢＭＳの伝送のために用い、上記セル固有の参照信号およびＭＢＳＦＮ固有の参照信号の挿入マッピングモードと、ＭＢＳＦＮのサブフレーム構造に対するＬＴＥシステムで規定される挿入マッピングモードとが同一である。
【００９９】
また、好ましくは、上記１又は複数の基礎帯域のそれぞれは同じ幅である。また、上記１又は複数の基礎帯域における少なくとも１つは、その他の基礎帯域と異なる幅である。更に好ましくは、上記１又は複数の基礎帯域のそれぞれは、ＬＴＥシステムにより規定された全ての帯域幅から選択されたものである。
【０１００】
また、好ましくは、上記１又は複数のキャリア周波数成分の少なくとも一部で制御情報が伝送され、その他のキャリア周波数成分において制御情報の伝送のために用いるＲＥは、ユニキャストサービス又はＭＢＭＳのために用いる。
【０１０１】
本発明の第３方案として、ユニキャストサービスおよびＭＢＭＳの多重化送信方法を提供し、所定のシステム総帯域幅が１又は複数のキャリア周波数成分における基礎帯域の集合により成っており、かつ、上記１又は複数のキャリア周波数成分における少なくとも一部で制御情報を伝送し、上記多重化送信方法は、制御情報とダウンリンクの基礎帯域とのマッピング情報、およびＭＢＳＦＮのサブフレームの配分情報を送信し、ダウンリンクの基礎帯域のそれぞれに対して以下のステップを行なう。すなわち、制御情報とダウンリンク基礎帯域との上記マッピング情報に基づいて、上記ダウンリンクの基礎帯域において制御情報が伝送されるか否かを判断する。そして、上記ダウンリンクの基礎帯域において上記制御情報が伝送されない場合、上記ＭＢＳＦＮのサブフレームの配分情報に基づいて、上記ダウンリンクの基礎帯域において現在スケジュールされているサブフレームがＭＢＳＦＮのサブフレームであるか否かを判断する。そして、上記ダウンリンクの基礎帯域において現在スケジュールされている上記サブフレームがＭＢＳＦＮのサブフレームである場合、ｅ−ＭＢＳＦＮのサブフレーム構造を用いてＭＢＭＳを伝送し、上記ダウンリンクの基礎帯域において現在スケジュールされている上記サブフレームがＭＢＳＦＮのサブフレームではない場合、ｅ−Ｕｎｉｃａｓｔのサブフレーム構造を用いてユニキャストサービスを伝送する。
【０１０２】
好ましくは、上記多重化送信方法は、以下のステップを更に含む。すなわち、上記制御情報を伝送するダウンリンクの基礎帯域を確定し、上記ＭＢＭＳのスケジューリングを行ない、ＭＢＳＦＮのサブフレームの配分情報を確定し、上記ユニキャストサービスのスケジューリングを行なう。
【０１０３】
また、好ましくは、上記多重化送信方法は、以下のステップを更に含む。すなわち、上記ダウンリンクの基礎帯域において上記制御情報が伝送される場合、上記ＭＢＳＦＮのサブフレームの配分情報に基づいて、上記ダウンリンクの基礎帯域において現在スケジュールされているサブフレームがＭＢＳＦＮのサブフレームであるか否かを判断する。そして、ダウンリンクの基礎帯域において現在スケジュールされている上記サブフレームがＭＢＳＦＮのサブフレームである場合、ＬＴＥシステムで規定されたＭＢＳＦＮのサブフレーム構造を用いてＭＢＭＳを伝送する。そして、上記ダウンリンクの基礎帯域において現在スケジュールされている上記サブフレームがマルチキャスト単一周波数ネットワークのサブフレームではない場合、ＬＴＥシステムで規定されたユニキャストのサブフレーム構造を用いて、ユニキャストサービスを伝送する。
【０１０４】
本発明の第４方案として、ユニキャストサービスおよびＭＢＭＳの多重化受信方法を提供し、そのうち、所定のシステム総帯域幅が１又は複数のキャリア周波数成分における基礎帯域の集合により成っており、かつ、上記１又は複数のキャリア周波数成分における少なくとも一部で制御情報を伝送し、上記多重化受信方法は、制御情報とダウンリンクの基礎帯域とのマッピング情報、およびＭＢＳＦＮのサブフレームの配分情報を取得し、ダウンリンクの基礎帯域のそれぞれに対して、以下のステップを行なう。すなわち、制御情報とダウンリンクの基礎帯域との上記マッピング情報に基づいて、上記ダウンリンクの基礎帯域において制御情報が伝送されたか否かを判断する。そして、上記ダウンリンクの基礎帯域において上記制御情報が伝送されてない場合、上記ＭＢＳＦＮのサブフレームの配分情報に基づいて、上記ダウンリンクの基礎帯域において現在スケジュールされているサブフレームであるか否かを判断する。そして、上記ダウンリンクの基礎帯域において現在スケジュールされている上記サブフレームがＭＢＳＦＮのサブフレームである場合、当該ＭＢＳＦＮのサブフレームにおけるユニキャスト参照信号を用いてチャネルを推定し、当該ＭＢＳＦＮのサブフレームに、使用中のユーザ向けのＭＢＭＳが含まれているか否かを判断する。そして、上記ＭＢＳＦＮのサブフレームに、使用中のユーザ向けのＭＢＭＳが含まれている場合、ｅ−ＭＢＳＦＮのサブフレームフォーマットに応じて、ＭＢＭＳの受信を行なう。
【０１０５】
好ましくは、上記多重化受信方法は、以下のステップを更に含む。すなわち、上記ダウンリンクの基礎帯域において現在スケジュールされている上記サブフレームがＭＢＳＦＮのサブフレームではない場合、その他の基礎帯域から取得したユニキャストサービスの制御情報に基づいて、ｅ−Ｕｎｉｃａｓｔのサブフレームフォーマットに応じて、ユニキャストサービスの受信を行なう。
【０１０６】
また、好ましくは、上記多重化受信方法は、以下のステップを更に含む。すなわち、上記ダウンリンクの基礎帯域において上記制御情報が伝送される場合、上記ＭＢＳＦＮのサブフレームの配分情報に基づいて、上記ダウンリンクの基礎帯域において現在スケジュールされている上記サブフレームがＭＢＳＦＮのサブフレームであるか否かを判断する。そして、上記ダウンリンクの基礎帯域において現在スケジュールされている上記サブフレームがＭＢＳＦＮのサブフレームである場合、ＭＢＳＦＮのサブフレームからユニキャストサービスの制御情報を受信して、当該ＭＢＳＦＮのサブフレームに、使用中のユーザ向けのＭＢＭＳが含まれている否かを判断する。そして、上記ＭＢＳＦＮのサブフレームに、使用中のユーザ向けのＭＢＭＳが含まれている場合、ＬＴＥで規定されるＭＢＳＦＮのサブフレームフォーマットに応じて、ＭＢＭＳの受信を行なう。そして、上記ダウンリンクの基礎帯域において現在スケジュールされている上記サブフレームがＭＢＳＦＮのサブフレームではない場合、現在スケジュールされているサブフレームからユニキャストサービスの制御情報を受信して、ＬＴＥシステムで規定されるユニキャストのサブフレームフォーマットに応じて、ユニキャストサービスの受信を行なう。
【０１０７】
以上の本発明の方案によれば、本発明は、ＬＴＥ−Ａｄｖａｎｃｅｄの基礎帯域ごとに１つの物理層を処理する経路を形成し、かつ、新しいＭＢＳＦＮのサブフレーム構造を採用して、スケジューリング方式により、ダウンリンクの制御情報に占有されるリソースを圧縮することができ、１つのスケジューリング・サブフレームの中において周波数分割多重方式によるユニキャストとＭＢＭＳとの多重利用を実現する。したがって、本発明は、従来のＬＴＥ−Ａｄｖａｎｃｅｄシステムにおいて、ＭＢＭＳをスケジューリングし伝送する１つのサブフレーム中に１種類のサブフレームフォーマットのみを採用することにより発生するリソースの無駄を、有効に解決することができ、ＬＴＥ−ＡｄｖａｎｃｅｄシステムにおけるＭＢＭＳとユニキャストサービスとの多重伝送に応用できる。
【０１０８】
前述の如く、本発明の詳細について具体的な実施の形態に基づき説明してきたが、本発明の範囲を逸脱しない限り、各種の変形が可能なのは明らかである。従って、本発明の範囲は、上述した各実施形態に限定されるものではなく、特許請求の範囲のみならず、その範囲と均等なものにより定められるべきである。
【産業上の利用可能性】
【０１０９】
本発明は、基地局装置および移動局装置から構成される移動通信システムに用いることができる。特に、ユニキャストサービスとマルチメディアブロードキャスト・マルチキャストサービスとを多重して伝送する移動通信システムに好適に用いることができる。
【符号の説明】
【０１１０】
２００  スケジューリングユニット
２０１  スクランブルユニット
２０２  変調ユニット
２０３  層マッピングユニット
２０４  プリエンコードユニット
２０５  リソースマッピングユニット
２０６  ＩＦＦＴユニット
２０７  ＣＰ挿入ユニット
２０８  ＣＰ長情報取得ユニット
２０９  Ｄ／Ａ変換ユニット
３０１  フィルタユニット
３０２  Ａ／Ｄ変換ユニット
３０３  ＣＰ除去ユニット
３０４  ＣＰ長情報取得ユニット
３０５  ＦＦＴユニット
３０６  リソースマッピング解除ユニット
３０７  プリエンコード解除ユニット
３０８  層マッピング解除ユニット
３０９  復調ユニット
３１０  アンスクランブルユニット
３１１  データ組合せユニット
【図１】
2010032850.tif 000003
【図２】
2010032850.tif 000004
【図３】
2010032850.tif 000005
【図１３】
2010032850.tif 000006
【図１４】
2010032850.tif 000007
【図１５】
2010032850.tif 000008
【図４】
2010032850.tif 000009
【図５】
2010032850.tif 000010
【図６】
2010032850.tif 000011
【図７】
2010032850.tif 000012
【図８】
2010032850.tif 000013
【図９】
2010032850.tif 000014
【図１０】
2010032850.tif 000015
【図１１】
2010032850.tif 000016
【図１２】
2010032850.tif 000017
【国際調査報告】
2010032850.tif 000018
2010032850.tif 000019
2010032850.tif 000020
2010032850.tif 000021
2010032850.tif 000022
2010032850.tif 000023
2010032850.tif 000024